(57)【要約】【課題】  シャワーヘッドは細孔からでも、太孔からでも同様の広い吐水範囲で、異なる形態の水を吐水できる快適なシャワーヘッドを提供する。【解決手段】  水が通過するヘッド本体１と、このヘッド本体１に装着され細孔３２と太孔３３とが穿設された散水部材３０と、前記細孔３２又は太孔３３の一方を塞ぐ切替板２０とを備え、何れか一方の孔から水が吐水されるシャワーヘッドＡにおいて、前記散水部材３０は中央部から外周部側に向けて複数個穿設された太孔３３と、この太孔３３と同一円周上に穿設された細孔３２とが互いに隣り合うように交互に配置され、太孔３３からの環状の吐水又は細孔３２からの環状の吐水の何れかを選択できるようにした。【選択図】  図２
2005074278.tif 000002
【特許請求の範囲】
【請求項１】
水が通過するヘッド本体と、このヘッド本体に装着され細孔と太孔とが穿設された散水部材と、前記細孔又は太孔の一方を塞ぐ切替板とを備え、何れか一方の孔から水が吐水されるシャワーヘッドにおいて、前記散水部材は中央部から外周部側に向けて複数個穿設された太孔と、この太孔と同一円周上に穿設された細孔とが互いに隣り合うように交互に配置され、太孔からの環状の吐水又は細孔からの環状の吐水の何れかを選択できるようにしたことを特徴とするシャワーヘッド。
【請求項２】
前記切替板は太孔又は細孔の何れか一方を覆うリブが形成され、散水部材に対し重ね合わせ、散水部材の回転により太孔からの吐水又は細孔からの吐水に切り替えられることを特徴とする請求項１に記載のシャワーヘッド。
【請求項３】
前記散水部材の中央部には、通水時に常時吐水される中孔が穿設されたことを特徴とする請求項１又は２記載のシャワーヘッド。
【請求項４】
前記散水部材の外周部には、通水時に常時吐水される外孔が穿設されたことを特徴とする請求項１乃至３の何れかに記載のシャワーヘッド。
【発明の詳細な説明】
【技術分野】
【０００１】
本発明は、浴室，流し台，洗面台等で使用され、水の吐水流を二種類の吐水形態から選択できるようにしたシャワーヘッドに関するものである。
【背景技術】
【０００２】
従来の浴室，流し台，洗面台等で使用されるシャワーヘッドは、水が吐水される散水部材に多数の散水孔が穿設されており、この散水孔から身体に対して水が吐水されるものである。そして、この散水孔は孔径が小径であると高速となり、皮膚への当たりが強く、強い刺激を与えて血行を良くするうえ、洗浄効果があるが、身体に当たると周囲の広い範囲に飛散してしまううえ、皮膚への刺激が強すぎると、子供や老人には向かなかった。また、孔径が大径であると低速となり、皮膚へ柔らかく当たり、心地よく感じるが、使用者によっては刺激感に欠けるものであった。そこで使用者の好みに合わせて細孔からの吐水と、太径からの吐水の何れかに切り替えられるシャワーヘッドとして公知のものに、特許文献１のものがある。
【０００３】
この特許文献１について図１８により簡単に説明すると、シャワーヘッド６０の吐水面６１は円形に形成されており、中央領域に細孔６２が多数穿設され、この細孔６２の周辺領域には細孔６２より大径の孔径である太孔６３が多数穿設され、ツマミの操作により細孔６２のみからの吐水、又は細孔６２と太孔６３との両方からの吐水を選択できるようにしたものである。
【０００４】
【特許文献１】特開平１１−５８３号公報
【発明の開示】
【発明が解決しようとする課題】
【０００５】
前記シャワーヘッドは、円形に形成された吐水面の中央部に小径の細孔が等間隔で複数個穿設され、この細孔の外側に大径の太孔が等間隔で複数個穿設されているため、互いの吐水状態を比較すると吐水面積が大きく異なる。即ち、細孔からの吐水は太孔からの吐水と比較して直径が小径となり吐水面積が狭く、広い範囲での吐水を行なうことができず、身体の一部のみの狭い範囲にしか吐水させることができないため、使い勝手の悪いものであった。また、吐水面の中心には孔が穿設されていないため、細孔からの吐水と太孔からの吐水の何れも中心から吐水されず、中抜けした状態で吐水され違和感を感じるものであった。
【０００６】
この発明は、このような従来の技術に存在する問題点に着目したものであり、その目的は、シャワーヘッドは細孔からでも、太孔からでも同様の広い吐水範囲で、異なる形態の水を吐水できる快適なシャワーヘッドを提供するものである。
【課題を解決するための手段】
【０００７】
上記目的を達成するため、請求項１に記載の発明は、水が通過するヘッド本体と、このヘッド本体に装着され細孔と太孔とが穿設された散水部材と、前記細孔又は太孔の一方を塞ぐ切替板とを備え、何れか一方の孔から水が吐水されるシャワーヘッドにおいて、前記散水部材は中央部から外周部側に向けて複数個穿設された太孔と、この太孔と同一円周上に穿設された細孔とが互いに隣り合うように交互に配置され、太孔からの環状の吐水又は細孔からの環状の吐水の何れかを選択できるようにしたものである。
【０００８】
請求項２では請求項１記載の発明によるシャワーヘッドにおいて、前記切替板は太孔又は細孔の何れか一方を覆うリブが形成され、散水部材に対し重ね合わせ、散水部材の回転により太孔からの吐水又は細孔からの吐水に切り替えられるものである。
【０００９】
請求項３では請求項１又は請求項２記載の発明によるシャワーヘッドにおいて、前記散水部材の中央部には、通水時に常時吐水される中孔が穿設されたものである。
【００１０】
請求項４では請求項１乃至請求項３の何れかに記載の発明によるシャワーヘッドにおいて、前記散水部材の外周部には、通水時に常時吐水される外孔が穿設されたものである。
【発明の効果】
【００１１】
本発明の請求項１のシャワーヘッドによると、散水部材は中央部から外周部側に向けて複数個穿設された太孔と、この太孔と同一円周上に穿設された細孔とが互いに隣り合うように交互に配置され、太孔からの環状の吐水又は細孔からの環状の吐水の何れかを選択できるようにしたので、使用者の好みに応じて太孔からの流速が低く柔らかい当たりの吐水と、細孔からの流速が速く強い当たりの吐水とを何れも環状で広い範囲で吐水させることができ、１つのシャワーヘッドで浴び心地の異なる吐水形態を選択して楽しむことができる。
【００１２】
請求項２のシャワーヘッドによると、太孔と細孔との流路の切替は散水部材を回転させることで行なうことができ、ヘッド本体にボタン又はスイッチを設ける必要がなく、美感及び操作性が向上する。
【００１３】
請求項３のシャワーヘッドによると、散水部材の中央部には通水時に常時吐水される中孔が穿設されたので、太孔からの吐水時又は細孔からの吐水時の何れも中央部から吐水され、中抜け感がなく快適なシャワー吐水を楽しむことができる。
【００１４】
請求項４のシャワーヘッドによると、散水部材の外周部には通水時に常時吐水される外孔が穿設されたので、広い範囲の吐水が可能であり、快適なシャワー吐水を楽しむことができる。
【発明を実施するための最良の形態】
【００１５】
以下、本発明の実施の形態を図に基づいて詳細に説明する。
【実施例１】
【００１６】
本発明は図１及び図２に示すように、浴室，流し台，洗面台等で使用されるシャワーヘッドＡは、水栓等から水が通水されるヘッド本体１と、このヘッド本体１の内部に収容され水の流路を切り替えるための切替板２０と、ヘッド本体１の外周に装着され前記切替板２０を通過した水が吐水される散水部材３０と、この散水部材３０をヘッド本体１へ回転自在に装着するための抜止リング４０とを備えている。
【００１７】
前記ヘッド本体１は手で握ることのできる把手２が形成されており、その内部には水栓等から供給された水が通水する通路３が形成され、その先端には切替室４が縦方向に形成されている。切替室４の上部内壁には略円筒形の支持部５が下方に突出するようにして形成され、この支持部５は下部から開口した挿孔６が穿設されており、この挿孔６には前記切替板２０が支持されるものである。
【００１８】
図３及び図４に示すように、ヘッド本体１は切替室４の先端から下部に突出して略環状の円筒部７が形成されており、その外周面には前記散水部材３０と抜止リング４０とが回転自在に装着されるものである。円筒部７の下部外周面には環状溝８が形成され、この環状溝８にはシールリング９が装着され、このシールリング９により散水部材３０を水密的に装着できるようにしている。
【００１９】
前記ヘッド本体１の円筒部７は環状溝８の上部外周面に一対の回転規制溝１０，１０ａが略円弧状に形成されている。この回転規制溝１０，１０ａには前記散水部材３０に嵌合された抜止リング４０の一部が係合され、抜止リング４０は回転防止溝１０，１０ａに係合した状態で散水部材３０と共に回転するものであり、円筒部７は外周面の一部に、回転規制溝１０，１０ａに係合した散水部材３０の回転範囲を規制するための当接部１１が形成されている。
【００２０】
図４に示すように、前記円筒部７の内周面には環状に形成された保持溝１２と、この保持溝１２の一部をやや大径とした円弧溝１３とを備え、この円弧溝１３の両端と保持溝１２との間には当たり面１４，１４が形成されている。前記保持溝１２には円筒部７の下部から切替板２０が保持されるもので、この切替板２０に形成された突片２８は円弧溝１３の間を移動自在で、その両端に形成された当たり面１４，１４の何れかに当接することにより、切替板２０の移動範囲が規制される。
【００２１】
前記切替板２０は図５乃至図８に示すように、前記ヘッド本体１の支持部５に穿設された挿孔６に挿通される軸部２１と、この軸部２１と一体でヘッド本体１の保持溝１２に回転自在に装着されるプレート部２２とを備えている。このプレート部２２は略リング状に形成され、小径に形成された小リング枠２３と、この小リング枠２３より大径に形成された大リング枠２４とは各リブ２５により連結され、このリブ２５は等間隔で複数個、本実施例の場合計１２個形成され、各リブ２５の間には水が通過するひし形状の通水路２６が形成されている。そして軸部２１と小リング枠２３との間には、水が通過するリング状の小径通水路２６ａが形成されている。また、大リング枠２４の底面には等間隔で４個の突起２７が形成されている。そして、大リング枠２４の外周面の一部には１個の突片２８が突出して形成され、図８に示すように、この突片２８は前記ヘッド本体１に形成された円弧溝１３に係合し、その両当たり面１４，１４の間を移動自在である。さらに図１に示すように、この切替板２０とヘッド本体１の支持部５との間にはスプリング２９が装着され、このスプリング２９により切替板２０は散水部材３０に向けて弾性力が付与される。
【００２２】
前記散水部材３０は図９乃至図１２に示すように略円筒形で、底面に形成された底板部３１には孔径が小径である細孔３２と、孔径がこの細孔３２より大径である太孔３３とが環状方向に多数穿設されている。前記細孔３２は中央部から外周部側に向けて同一直線上に等間隔で計３個穿設され、前記太孔３３は中央部から外周部側に向けて同一直線上に等間隔で計３個穿設され、細孔３２と太孔３３とは同心円上で互いに隣り合うようにして底板部３１の全体に交互に配置されている。そして、底板部３１の中央で同心円上には、細孔３２と同一径である中孔３４が等間隔で計６個穿設され、細孔３２と太孔３３より外周で、底板部３１の外周部全体には細孔３２と同一径である外孔３５が等間隔で計２４個穿設されている。この中央の中孔３４と外周部全体の外孔３５とは、散水部材３０と切替板２０との上下の位置がどのようであっても通水時に必ず水が吐水されるものであり、中孔３４は散水部材３０の中心部分から水が吐水されなくなることを防ぐことができ、太孔３３及び細孔３２よりさらに外周に設けられた外孔３５は、底板部３１から広い範囲に吐水できるものである。
【００２３】
前記細孔３２と中孔３４と外孔３５との孔径は略０．７ｍｍで、本実施例の場合中央部から外周部に向けて底板部３１全体で細孔３２は３６個、細孔３２と同一の孔径である中孔３４と外孔３５とは計３０個穿設されている。太孔３３の孔径は略１．３ｍｍで、中央部から周辺部に向けて底板３１全体で計３６個穿設されている。従って、細孔３２と太孔３３とは同一数個穿設されているが、通水時の総通水面積は太孔３３の方が細孔３２より広くなるように穿設されている。
【００２４】
図９に示すように、前記底板部３１には同一形状の凹溝３６，３６が互いに隣り合うようにして形成され、一対の凹溝３６，３６は互いに９０度の間隔で同一円周上に４組形成されている。そしてこの凹溝３６は前記切替板２０が上部に重なり合うと、切替板２０の底面に形成された突起２７と上下に係合し、散水部材３０をヘッド本体１に対し回転させると切替板２０も上下に重なり合った状態で同一方向へ回転し、切替板２０の突片２８がヘッド本体１の円弧溝１３で当たり面１４に当接して回転が規制されている状態で散水部材３０を回転させると、突起２７は隣り合う一方の凹溝３６から他方の凹溝３６へ移動して係合するものである。
【００２５】
そして、図１１に示すように散水部材３０の上端外周面には環状支持部３７が形成されており、この環状支持部３７は前記抜止リング４０を装着するための嵌合溝３８が等間隔で複数個、本実施例では３個穿設されている。
【００２６】
前記抜止リング４０は図１１及び図１２に示すように、環状のリングを一部切り欠くことで円弧状とした形状であり、その両端部には内周面に向けて突出して第１規制部材４１，４１がそれぞれ形成され、その中間部には第２規制部材４１ａが形成されている。この各規制部材４１，４１ａは散水部材３０の各嵌合溝３８にそれぞれ係合され、抜止リング４０は散水部材３０と共に回転した場合に、ヘッド本体１の回転規制溝１０，１０ａ内を移動し、両端の規制部材４１，４１はヘッド本体１の一方の回転規制溝１０内を移動し、中央の規制部材４１ａは他方の回転規制溝１０ａ内を移動し、各規制部材４１，４１ａが当接部１１に当接することで散水部材３０の回転が規制されるものである。そして規制部材４１の内周側には凹部４１ｂが形成され、この凹部４１ｂはヘッド本体１の回転規制溝１０，１０ａの外周面に形成された突部１０ｃと係合することで、停止時に適度の抵抗感が付与される。
【００２７】
上記の構成において、図１３（ａ）では切替板２０の各リブ２５が散水部材３０の各細孔３２と上下に重なり合い、細孔３２はリブ２５により塞がれ太孔３３が露出している。この状態で水栓等からヘッド本体１に水を通水させると、水は切替板２０の各通水路２６を通過して各太孔３３から吐水される。そして、多数の太孔３３から環状の水が吐水され、使用者に対し柔らかい当たりの吐水が行なわれる。また、中央の中孔３４は露出しており、この中孔３４からは比較的細く流速の速い水が吐水されるため、中央からは水が吐水されないことによる中抜け感は発生しない。しかも散水部材３０は切替板２０よりも外周側で略等間隔に穿設された環状の外孔３５も露出しており、この外孔３５から吐水される水により広い範囲で吐水させることができる。
【００２８】
次に散水部材３０から吐水される水の吐水状態を切り替えるには、散水部材３０の外周面を握って周方向へ回転させる。この場合、散水部材３０と切替板２０とは、切替板２０の突起２７が散水部材３０の凹溝３６に係合しているため一体に回転するが、図１３（ｂ）に示すように、切替板２０は突片２８がヘッド本体１の当たり面１４に衝突するため、それ以上の回転が規制される。
【００２９】
図１３（ｂ）の状態からさらに散水部材３０を同一方向へ回転させると、切替板２０は回転しないが、散水部材３０と抜止リング４０とは一体に回転し、図１３（ｃ）に示すように、抜止リング４０の第１規制部材４１がヘッド本体１の当接部１１に当接したところで回転は停止する。この場合、切替板２０はスプリング２９の弾性力により散水部材３０に付勢されており、切替板２０の突片２８は散水部材３０の隣り合う凹溝３６を移動する。そして、散水部材３０のみが回転するため、切替板２０の各リブ２５は散水部材３０の太孔３３を塞ぎ、細孔３２が露出する。この状態では細孔３２から比較的細く流速の速い水が吐水される。この場合も、中央の中孔３４は露出しており、中央からは水が吐水されないことによる中抜け感は発生しない。しかも周辺部の外孔３５も露出しており、この外孔３５からも流速の速い水が吐水される。
【００３０】
以上のように本発明のシャワーヘッドは、散水部材を回転させれば、太孔からの吐水と細孔からの吐水を何れも環状で広い範囲で行なうことができ、使用者の好みに応じて太孔からの当たりの柔らかい吐水と、細孔からの刺激の強い吐水とに吐水形態を切り替えることができ、心地よく使用することができる。
【実施例２】
【００３１】
図１４乃至図１７は本発明の実施例２である。この実施例のシャワーヘッドＢは、切替板は回転しないように保持され、散水部材のみの回転で流路が切り替えられるものである。以下、実施例２のシャワーヘッドについて、前記実施例１のシャワーヘッドと異なる点のみについて説明する。
【００３２】
ヘッド本体１ａは図１５に示すように、下部内周面に等間隔で４個の保持溝１２ａが形成され、この保持溝１２ａにより切替板２０ａが装着されるもので、切替板２０ａは外周面に等間隔で４個の突片２８ａが形成され、各突片２８ａはヘッド本体１ａの保持溝１２ａに係合することで回転しないように保持される。
【００３３】
図１６に示すように、ヘッド本体１ａの円筒部７ａは環状溝８ａの上部外周面に回転規制溝１６が形成されている。この回転規制溝１６は散水部材３０に嵌合された抜止リング４０ａの一部が係合するもので、上下幅の異なる２個の溝からなり、一方の太溝１６ａと他方の細溝１６ｂとの間には当接部１７が形成されている。
【００３４】
抜止リング４０ａは図１５に示すように、両端に形成された第３規制部材４２と比較して中間部に形成された第４規制部材４２ａは上下幅が高く、第３規制部材４２はヘッド本体１ａの細溝１６ｂに係合して移動し、第４規制部材４２ａは太溝１６ａに係合して移動するものである。
【００３５】
切替板２０ａは外周面に４個の突片２８ａが互いに等間隔で形成されており、この突片２８ａはヘッド本体１ａの保持溝１２ａに係合することで回転しないように保持される。なお、その他の構成については前記実施例と同一であるので、前記実施例と同一の部品には同一の符号を付し、その詳細な説明を省略する。
【００３６】
上記の構成において、図１７（ａ）では切替板２０ａの各リブ２５が散水部材３０の細孔３２と上下に重なり合い、細孔３２は塞がれ太孔３３が露出している。この状態でヘッド本体１ａに水を通水させると、水は切替板２０ａの通水路２６を通過して太孔３３から吐水される。そして、多数の太孔３３から環状の水が吐水され、使用者に対し柔らかい当たりの吐水が行なわれる。また、中央に穿設された８個の中孔３４は露出しており、この中孔３４からは比較的細く流速の速い水が吐水されるため、中央からは水が吐水されないことにより中抜け感は発生しない。しかも外周部に略等間隔に穿設された環状の外孔３５も露出しており、この外孔３５から吐水される水により、広い範囲の吐水が可能である。
【００３７】
次に散水部材３０から吐水される水の吐水状態を切り替えるには、散水部材３０を握って回転させる。この場合、散水部材３０と抜止リング４０ａとは一体に回転し、図１７（ｂ）に示すように、抜止リング４０ａの第４規制部材４２ａがヘッド本体１ａの当接部１７に当接したところで、第４規制部材４２ａは太溝１６ａから細溝１６ｂに移動することができず、その回転は停止する。この場合、切替板２０ａの各リブ２５は散水部材３０の太孔３３を塞ぎ、細孔３２が露出する。この状態では細孔３２から比較的細く流速の速い水が吐水される。また、中央の中孔３４は露出しており、この中孔３４からは比較的細く流速の速い水が吐水されるため、中央からは水が吐水されないことによる中抜け感は発生しない。しかも周辺部に略等間隔に穿設された環状の外孔３５も露出しており、この外孔３５からも流速の速い水が吐水される。
【００３８】
以上のように実施例２のシャワーヘッドは実施例１と比較して切替板を回転させる必要がなく、簡略な構造とすることができる。
【００３９】
なお、前記各実施例では散水部材の回転操作により太孔からの吐水と細孔からの吐水との流路を切り替えを行なうが、ヘッド本体の前面又は上部にボタンを設け、このボタンの操作により流路を切り替えてもよい。また、中孔と外周部の孔は細孔としているが、太孔としてもよい。
【図面の簡単な説明】
【００４０】
【図１】本発明のシャワーヘッドの縦断面図である。
【図２】図１に示すシャワーヘッドの分解斜視図である。
【図３】ヘッド本体の側面図である。
【図４】実施例による吐水管の説明図である。
【図５】切替板の側面図である。
【図６】切替板の平面図である。
【図７】切替板の底面図である。
【図８】ヘッド本体に切替板を装着した状態の説明図である。
【図９】散水部材の平面図である。
【図１０】散水部材の底面図である。
【図１１】散水部材と抜止リングとの斜視図である。
【図１２】散水部材に抜止リングを装着した状態の斜視図である。
【図１３】吐水状態の説明図で、（ａ）は、太孔からの吐水、（ｂ）は散水部材を操作した状態、（ｃ）細孔からの吐水である。
【図１４】第２の実施例によるシャワーヘッドの縦断面図である。
【図１５】図１４に示すシャワーヘッドの分解斜視図である。
【図１６】図１４に示すヘッド本体の側面図である。
【図１７】吐水状態の説明図で、（ａ）は、太孔からの吐水、（ｂ）は細孔からの吐水である。
【図１８】従来技術の説明図である。
【符号の説明】
【００４１】
１：ヘッド本体
２０：切替板
２５：リブ
３０：散水部材
３２：細孔
３３：太孔
３４：中孔
３５：外孔
Ａ，Ｂ：シャワーヘッド
【図１】
2005074278.tif 000003
【図２】
2005074278.tif 000004
【図３】
2005074278.tif 000005
【図４】
2005074278.tif 000006
【図５】
2005074278.tif 000007
【図６】
2005074278.tif 000008
【図７】
2005074278.tif 000009
【図８】
2005074278.tif 000010
【図９】
2005074278.tif 000011
【図１０】
2005074278.tif 000012
【図１１】
2005074278.tif 000013
【図１２】
2005074278.tif 000014
【図１３】
2005074278.tif 000015
【図１４】
2005074278.tif 000016
【図１５】
2005074278.tif 000017
【図１６】
2005074278.tif 000018
【図１７】
2005074278.tif 000019
【図１８】
2005074278.tif 000020